(57)【要約】【課題】旅行等に不便な箱入りのフェースマスクや化粧綿等の内容物に代え、一個づづの化粧綿をそれぞれ包装し、該化粧綿の包装袋側に、含浸量目安印（Ｚ）を、商品説明、商標名等の表示（Ｙ）と一体に印刷する包装袋の印刷方法である。【解決手段】内容物（Ｘ）を一シートづつ包装するための，不透水性を有し、透明あるいは半透明素材で形成された包装袋（１）を設け、該包装袋（１）の底面に、表面側には、商品説明、商標名等の表示（Ｙ）を、裏面側に、含浸量目安印（Ｚ）を印刷することを特徴とする化粧綿の包装袋における印刷方法であり、商品説明、商標名等の表示（Ｙ）と含浸量目安印（Ｚ）との間に、遮蔽色層を介して印刷することを特徴とする使用時に液体を含浸させる内容物の包装袋における印刷方法である。【選択図】      図３
2010088579.tif 000002
【特許請求の範囲】
【請求項１】
使用時に液体を含浸させる内容物（Ｘ）を、一シートづつ包装するための，不透水性を有し、透明あるいは半透明素材で形成された包装袋（１）を設け、該包装袋（１）の底面に、表面側には、商品説明、商標名等の表示（Ｙ）を、裏面側に、含浸量目安印（Ｚ）を印刷することを特徴とする，使用時に液体を含浸させる内容物の包装袋における印刷方法。
【請求項２】
使用時に液体を含浸させる内容物（Ｘ）を、一シートづつ包装するための，不透水性を有し、透明あるいは半透明素材で形成された包装袋（１）を設け、該包装袋（１）の底面に、表面側には、商品説明、商標名等の表示（Ｙ）を、裏面側に、含浸量目安印（Ｚ）を、一体に印刷するに際して、表示（Ｙ）と含浸量目安印（Ｚ）との間に、遮蔽色層（２）を介して印刷することを特徴とする，使用時に液体を含浸させる内容物の包装袋における印刷方法。
【請求項３】
使用時に液体を含浸させる内容物（Ｘ）が、フェースマスク、化粧綿から選ばれたものであることを特徴とする請求項１または２記載の，使用時に液体を含浸させる内容物の包装袋における印刷方法。
【発明の詳細な説明】
【技術分野】
【０００１】
この発明は、使用時に液体を含浸させる内容物の包装袋における印刷方法に関するものであり、特に、一個づつ収納するフェースマスクあるいは化粧綿の包装袋の印刷方法に関するものである。
【背景技術】
【０００２】
従来、フェースマスクは、顔面の大きさに形成した化粧綿や不織布に、化粧水等の液体を含浸させて顔面を覆いパック等のため使用するものであり、通常、フェースマスクは、複数枚を、しかも、化粧水等の液体を含浸させた状態で包装袋に入れて販売している。
しかし、化粧水等の液体を含浸させた状態のフェースマスクは、比較的長期間保管するには、内部に防腐剤も入れておく必要があり、その防腐剤が女性の皮膚にとっては適さないことも考えられる。
【０００３】
また、一方、化粧綿（コットン）は、所定の厚みを有した矩形状をしており、化粧の下地作りに使用したり、化粧を落としたりする際に使用するものである。
具体的には、化粧綿に化粧水や乳液等を含ませて顔に塗ったり、クレンジングローションを含ませて顔面の化粧を拭き取ったり、また、化粧綿に除去液を含ませて、爪に塗ったマニキアを取り除いたりする際に使用するものであるが、化粧綿にどのくらいの量の液を含ませるのかは不明であり、使用者の目安により行っていた。
【０００４】
そのため、化粧綿の表面に、化粧綿に５００円玉の大きさ程度の目安表示をすることにより化粧水を含ませる際の目安を表示したものが、本願出願人により開発されている。
例えば、特許文献１，特許文献２そして特許文献３のように。
【特許文献１】特開２００２−３１５６２５号公報
【特許文献２】登録第３１１９９３６号実用新案公報
【特許文献３】登録第３１３００９０号実用新案公報
【０００５】
さらに、化粧綿は、一般的には、多数枚の化粧綿を、一列、あるいは複数列に並列して箱に収納しており、取り出す際に、２枚同時に取り出したり、また、再三、取り出すため、残っている化粧綿の縁部が接触によりケバ立ったりすることがあり、また、小旅行などでは、一々、大きな箱に収納された化粧綿を持参するわけにはいかず、不便であった。
【０００６】
また、単に、化粧を拭き落とすには、ウェットティッシュも存在するが、比較的長期間保管するには、内部に防腐剤も入れておく必要があり、その防腐剤が女性の皮膚にとっては適さないことも考えられ、やはり、化粧綿の方が化粧水等の液体やクリームに使用するには化粧綿の方が便利である。
【発明の開示】
【発明が解決しようとする課題】
【０００７】
そこでこの発明は、フェースマスクや化粧綿等の内容物を、一個づつ個別に，しかも、使用時に包装袋内で液体を含浸させるための包装袋であって、フェースマスク等の内容物側に化粧水等の液量を目安として表示するのではなく、包装袋側に極めて簡単に液量の目安を表示をする化粧綿の包装袋における印刷方法を開発・提供しようとするものである。
【課題を解決するための手段】
【０００８】
この発明は、旅行等に不便な複数個入りのフェースマスクや化粧綿等、使用時に液体を含浸させる内容物に代え、一個づづの内容物を、それぞれ包装し、該内容物の包装袋側に、含浸量目安印（Ｚ）を、商品説明、商標名等の表示（Ｙ）と一体に印刷する，使用時に液体を含浸させる内容物の包装袋における印刷方法である。  
【発明の効果】
【０００９】
この発明によると、包装袋（１）を印刷の際に、商品説明、商標名等の表示（Ｙ）の下地の着色からなる含浸量目安印（Ｚ）を同時に印刷することにより、内部に収納した内容物（Ｘ）に化粧水等の液体を含ませたときに、下部の含浸量目安印（Ｚ）の着色が透けて見えることにより、目安の量を知ることができ、極めて有益なる効果をそうする。
【００１０】
また、含浸量目安印（Ｚ）は包装袋（１）の外面に印刷してあるため、印刷インキ等が内容物（Ｘ）を汚すこともなく、また、化粧水等の液体と反応して印刷インキが溶けることもない。
【００１１】
さらに、内容物（Ｘ）は、一個づづ包装袋（１）で包装されており、旅行や外出等では必要な個数だけ持参すれば嵩張らず、また、包装袋（１）の中で内容物（Ｘ）に化粧水を含まても、素材が不透水性の袋であり外部に漏れず、化粧液を無駄なく、有効に利用できる。
【００１２】
また、表示印刷（Ｙ）と含浸量目安印（Ｚ）との間に、遮蔽色（２）を介して印刷することにより、表示印刷（Ｙ）が含浸量目安印（Ｚ）側に写らず、含浸量目安印（Ｚ）がより明確に視認できる等の効果も有する。
【発明を実施するための最良の形態】
【００１３】
この発明は、不透水性を有し、透明あるいは半透明素材で形成された包装袋に、内容物を一個づつ収納包装するための，該包装袋（１）の片面、即ち，底面の表面側には、商品説明、商標名等の表示（Ｙ）を、裏面側に、含浸量目安印（Ｚ）を、同時に印刷する包装袋の印刷方法であり、また、商品説明、商標名等の表示（Ｙ）と含浸量目安印（Ｚ）との間に、遮蔽色（２）を介して印刷する包装袋の印刷方法である。
【実施例１】
【００１４】
次に、この発明の一実施例を図面に従って詳述すると、内容物（Ｘ）を一シートづつ包装するための，不透水性を有し、透明あるいは半透明素材で形成された包装袋（１）を設け、該包装袋（１）の底面に、表面側には、商品説明、商標名等の表示（Ｙ）を、裏面側に、含浸量目安印（Ｚ）を印刷することを特徴とする，使用時に液体を含浸させる内容物の包装袋における印刷方法から構成される。
【００１５】
尚、包装袋（１）の構造は、具体的に説明すると、透明或いは半透明の合成樹脂シートで構成されたものであり、上面側には二枚のシート端部がやや重なっており、これを押し拡げて開く開口部（Ａ）を設け、底面側の外側に含浸量目安印（Ｚ）を設け、該含浸量目安印（Ｚ）が包装袋（１）の内部から視認可能に設けられたものである。
【実施例２】
【００１６】
さらに、この発明の他の実施例を図面に従って詳述すると、内容物（Ｘ）を一シートづつ包装するための，不透水性を有し、透明あるいは半透明素材で形成された包装袋（１）を設け、該包装袋（１）の底面に、表面側には、商品説明、商標名等の表示（Ｙ）を、裏面側に、含浸量目安印（Ｚ）を、一体に印刷するに際して、表示（Ｙ）と含浸量目安印（Ｚ）との間に、遮蔽色層（２）を介して印刷することを特徴とする，使用時に液体を含浸させる内容物の包装袋における印刷方法から構成される。
【００１７】
尚、これら実施例に記載した商品説明、商標名等の表示（Ｙ）とは、文字、図形、記号、色彩との単一か、複数を組み合わせたものであり、含浸量目安印（Ｚ）は、化粧液を含むことにより、内容物（Ｘ）を介して、視認できるものであればよく、着色に限定されることはない。
【産業上の利用可能性】
【００１８】
この発明の、使用時に液体を含浸させる内容物の包装袋における印刷方法の技術を確立し、実施・販売することにより、産業上の利用可能性を有するものである。
【図面の簡単な説明】
【００１９】
【図１】この発明の一実施例であり、上面示す斜視図である。
【図２】この発明の一実施例であり、底面を示す斜視図である。
【図３】この発明の一実施例を示す断面図である。
【図４】この発明の他の実施例を示す断面図である。
【符号の説明】
【００２０】
１  包装袋
２  遮蔽色層
Ａ  開口部
Ｘ  内容物
Ｙ  表示
Ｚ  含浸量目安印
【図１】
2010088579.tif 000003
【図２】
2010088579.tif 000004
【図３】
2010088579.tif 000005
【図４】
2010088579.tif 000006